(57)【特許請求の範囲】
【請求項１】
縦長の被梱包機器が載置されるベース部材と、
前記被梱包機器の上部に取付けられる上面梱包部材と、
前記被梱包機器の上下方向に延出する隅部の上下方向に直接取付けられ、前記隅部に接触する取付面がＬ字形に形成されて前記隅部の上下方向に延設するとともに前記隅部から外向きに突出する発泡樹脂製の手掛け部材と、
前記隅部の上下方向に沿って前記手掛け部材及び前記被梱包機器に貼付けられている粘着テープと、
を有することを特徴とする梱包装置。
【請求項２】
前記手掛け部材は、前記隅部から外向きに突出する厚み寸法が１０〜１５ｍｍであることを特徴とする請求項１記載の梱包装置。
【請求項３】
前記粘着テープは、その一側が前記手掛け部材の外周面の一部を覆うように貼付けられ、他側が前記被梱包機器の外周面に貼付けられていることを特徴とする請求項１又は２記載の梱包装置。
【請求項４】
前記手掛け部材に前記粘着テープが貼付けられている上下方向の幅寸法は、前記被梱包機器の底面から５０〜１５０ｃｍであることを特徴とする請求項１ないし３のいずれか一項に記載の梱包装置。
【請求項５】
前記被梱包機器の背面に対向する位置に背面梱包部材が取付けられていることを特徴とする請求項１ないし４のいずれか一項に記載の梱包装置。
【請求項６】
請求項１ないし５に記載の梱包装置により梱包された給湯機器。
【発明の詳細な説明】
【技術分野】
【０００１】
本発明の実施形態は、被梱包機器を梱包する梱包装置と梱包装置に梱包された給湯機器に関する。
【背景技術】
【０００２】
従来、貯湯式電気温水器を構成する貯湯ユニット等を梱包する場合、物流段階での打痕や破損を防止するため、段ボールを使用した梱包装置により外周の略全体を覆うことが一般的である（下記特許文献１、２参照）。
【０００３】
梱包装置により梱包された被梱包機器（例えば、貯湯ユニット）の出荷に際して、工場でのトラックへの積み込みはフォークリフトを使用して行っているが、トラック荷台での移動や納品先でトラックから荷降ろしする場合は、作業者が人力により被梱包機器の向きを変えたり被梱包機器を横移動させたりして行っている。そして、梱包された被梱包機器を荷降ろしする作業は、被梱包機器の外周部分を覆っている段ボールに形成されている手掛け用の穴部に手を掛けて行っている。
【先行技術文献】
【特許文献】
【０００４】
【特許文献１】特開２００７−３２６６０８号公報
【特許文献２】特開２００８−２９６９５０号公報
【発明の概要】
【発明が解決しようとする課題】
【０００５】
しかしながら、上記の特許文献に記載されている梱包装置では、段ボールで被梱包機器の略全体を覆っているため、使用する段ボールの量が多くなっている。しかも、被梱包機器を納品先へ納品した後は、梱包装置はゴミとして処理されている。
【０００６】
このため、上記の特許文献に記載されているタイプの梱包装置は、使用する段ボールが多くなるために森林資源保護の観点から望ましいものではなく、さらに、梱包装置をゴミとして処理するためには新たなエネルギーを要し、ＣＯ２排出量削減の観点からも望ましいものではない。
【０００７】
本発明の実施形態の目的は、被梱包機器の側面を覆う段ボールを無くすことにより段ボールの使用量を大幅に減らすことができ、しかも、梱包された被梱包機器を手作業で荷降ろしするためにその被梱包機器の向きを変えたり横移動させたりする場合、容易に手を掛けることができる梱包装置を提供することである。
【課題を解決するための手段】
【０００８】
実施形態の梱包装置は、  縦長の被梱包機器が載置されるベース部材と、被梱包機器の上部に取付けられる上面梱包部材と、被梱包機器の上下方向に延出する隅部の上下方向に直接取付けられ、隅部に接触する取付面がＬ字形に形成されて隅部の上下方向に延設するとともに隅部から外向きに突出する発泡樹脂製の手掛け部材と、隅部の上下方向に沿って手掛け部材及び被梱包機器に貼付けられている粘着テープと、を有する。
【図面の簡単な説明】
【０００９】
【図１】一実施形態の被梱包機器と梱包装置とを示す分解斜視図である。
【図２】一実施形態の手掛け部材の取付状態を示す平面図である。
【図３】一実施形態における被梱包機器への手掛け部材の取付状態を示す斜視図である。
【発明を実施するための形態】
【００１０】
以下、一実施形態を図面に基づいて説明する。図１は、貯湯式の給湯機器を構成する被梱包機器である貯湯ユニット１と、この貯湯ユニット１を梱包する梱包装置２とを示す分解斜視図である。
【００１１】
貯湯ユニット１は、例えばヒートポンプ給湯機等の電力式給湯機器に用いられる貯湯タンクユニットであって、縦長の略矩形状に構成された金属板筐体を有し、その内部に縦長円筒形状の貯湯タンク管体が収納されている。また、貯湯ユニット１の下端には、据付時に固定するための複数の脚部が設けられている。本実施形態で説明する貯湯ユニット１の大きさは、概ね高さ１８０ｃｍ程度、重さ６０ｋｇ程度のものである。
【００１２】
梱包装置２は、貯湯ユニット１が載置されるベース部材である木枠ベース３と、貯湯ユニット１の上部に取付けられる上面梱包部材である発泡樹脂製の上面クッション４及び貯湯ユニット１の上部を覆うように上面クッション４に取付けられる上面段ボール５と、貯湯ユニット１の上下方向に延出する四つの隅部１ａに直接取付けられる発泡樹脂製の手掛け部材６と、貯湯ユニット１の背面に対向する位置に取付けられる背面梱包部材である背面段ボール７とを有している。
【００１３】
隅部１ａに取付けられる手掛け部材６は、図２及び図３に示すように粘着テープ８により貼付けられている。そして、隅部１ａに取付けられた手掛け部材６は、隅部１ａの延出方向に延設するとともに、隅部１ａから外向きに突出している。この手掛け部材６は断面形状がＬ字形に形成されており、貯湯ユニット１の隅部１ａに接触する取付面６ａ及び外側を向いている外周面６ｂが共にＬ字形に形成されている。
【００１４】
また、手掛け部材６は、厚み寸法が“Ａ”であり、この厚み寸法“Ａ”は１０ｍｍ以上が好ましく、特に１０〜１５ｍｍに設定されているのが好ましい。そして、この厚み寸法“Ａ”は、後述するように、梱包されている貯湯ユニット１を荷降ろしするために作業者が手掛け部材６に手を掛けた場合、手の指の第１関節より先の部分が掛かり易い寸法とされている。また、隅部１ａの延出方向に沿った手掛け部材６の長さ寸法は、貯湯ユニット１高さ寸法より僅かに短い寸法とされている。
【００１５】
手掛け部材６を隅部１ａに取付ける粘着テープ８は、図３に示すように、隅部１ａの延出方向に引き伸ばして貼付けられている。そして、粘着テープ８が貼付けられている範囲の上下方向の幅寸法“Ｂ”は、貯湯ユニット１の底面から５０〜１５０ｃｍの範囲とされているのが好ましい。この貼付け範囲の幅寸法“Ｂ”は、後述するように、作業者が手掛け部材６に手を掛けて貯湯ユニット１を荷降ろしする場合に、手を掛ける範囲となる作業者の膝から肩の高さに相当している。
【００１６】
粘着テープ８の幅寸法は、図２に示すように、粘着テープ８の一側が手掛け部材６の外周面６ｂの一部を覆うように貼付けられ、粘着テープ８の他側が貯湯ユニット１の外周面に貼付けられるとともに貯湯ユニット１の外周面に貼付けられる寸法“Ｃ”が３０〜５０ｍｍとなるように設定されているのが好ましい。
【００１７】
木枠ベース３の上に貯湯ユニット１を載置し複数の脚部に固定し、貯湯ユニット１の四つの隅部１ａに手掛け部材６を取付け、貯湯ユニット１の上部に上面クッション４を介して上面段ボール５を取付け、貯湯ユニット１の背面に背面段ボール７を取付けた後、これらの木枠ベース３、手掛け部材６、上面クッション４、上面段ボール５、背面段ボール７からなる梱包装置２は、図示しない梱包ベルトにより左右方向（水平方向）及び上下方向（垂直方向）に緊締されている。
【００１８】
このような構成において、梱包装置２により梱包された貯湯ユニット１は、工場においてフォークリフトを使用してトラックに積み込まれ、納品先へ搬送される。納品先に搬送された貯湯ユニット１は、作業者により手作業でトラックから荷降ろしされる。
【００１９】
梱包された貯湯ユニット１をトラックから荷降ろしする作業は、作業者がトラックの荷台上で貯湯ユニット１の向きを変えたり貯湯ユニット１を横移動させたりして荷台の端部側へ移動させ、さらに、背面段ボール７が下側となるように貯湯ユニット１を倒して背面段ボール７を荷台に接触させて滑らせることにより行っている。
【００２０】
梱包されている貯湯ユニット１の向きを変えたり横移動させたりする場合には、作業者は、手掛け部材６に手を掛け、貯湯ユニット１を押したり引いたりすることにより行っている。
【００２１】
手掛け部材６は、発泡樹脂製であって脆弱な材料で形成されているが、この手掛け部材６の外周面を覆うように粘着テープ８を用いて、貯湯ユニット１に取付けることにより、手掛け部材６の強度をアップさせることができる。また、この手掛け部材６を隅部１ａへ取付ける取付面６ａが、隅部１ａの形状に倣ったＬ字形に形成されているので、隅部１ａへの手掛け部材６の取付状態を安定させることができる。さらに、粘着テープ８は、貯湯ユニット１の外周面に貼付けられる寸法“Ｃ”が３０〜５０ｍｍとなる幅寸法を有するため、手掛け部材６を貯湯ユニット１に強固に貼り付けることができる。したがって、荷降ろし作業時において作業者が手掛け部材６に手を掛けてこの手掛け部材６を押したり引いたりしても、手掛け部材６が壊れることなく貯湯ユニット１を容易に荷降ろしすることができる。
【００２２】
また、粘着テープ８が貼付けられている範囲の上下方向の幅寸法“Ｂ”が、貯湯ユニット１の底面から５０〜１５０ｃｍの範囲とされており、この範囲は荷降ろし作業時において作業者が貯湯ユニット１に対して手を掛ける範囲であるので、荷降ろし作業時には手掛け部材６における粘着テープ８で貼付けられている部分に確実に手を掛けることができ、貯湯ユニット１の荷降ろし作業をより一層容易に行うことができる。
【００２３】
また、手掛け部材６の厚み寸法“Ａ”が１０〜１５ｍｍであるので、荷降ろし作業時に作業者の手の指を手掛け部材６に引っ掛け易く、手掛け部材６に手を掛けて行う荷降ろし作業を容易に行うことができる。
【００２４】
また、手掛け部材６は断面形状がＬ字形に形成されて隅部１ａから外向きに突出しているので、荷降ろし作業時において１つの手掛け部材６に対して左右方向のどちらからでも力を加えることができ、荷降ろしの作業性を向上させることができる。
【００２５】
また、隅部１ａの延出方向に沿った手掛け部材６の長さ寸法が、貯湯ユニット１の高さ寸法より僅かに短い寸法であるので、これらの手掛け部材６を衝撃緩衝材として使用することができ、物流段階における貯湯ユニット１の打痕や破損を防止することができる。
【００２６】
したがって、貯湯ユニット１の隅部１ａに粘着テープ８を用いて手掛け部材６を取付けることにより、物流段階での貯湯ユニット１の打痕や破損を防止することができる。さらに、貯湯ユニット１を荷降ろしする場合に、手掛け部材６に手を掛けて貯湯ユニット１を押したり引いたりすることにより荷降ろしすることができるので、手を掛ける穴部を形成するために従来使用していた貯湯ユニット１の略全体を覆う段ボールを不要とすることができ、消費する森林資源を大幅に減少させることができ、しかも、使用後に梱包ゴミとして処理する段ボールの量が少なくなるので環境保護にも寄与することができる。
【００２７】
また、貯湯ユニット１に取付けられている手掛け部材６は粘着テープ８で貼付けられているため、納品先での手掛け部材６の取外しを容易に行うことができる。また、段ボールの量が少ないために、貯湯ユニット１全体を段ボールで覆う場合に比べて軽量化することができ、輸送コストを低減することができる。
【００２８】
また、段ボール等の遮蔽物に覆われておらず、貯湯ユニット１の大部分が視認できるため、製品の状態を容易に確認することができる。これにより、工場出荷後であっても製品の外観を視認することができ、客先へ配送される前に製品の打痕や破損及び傷つき等の異常を確認することができ交換等の対応を行うことができる。これにより客先に配送して開梱した後に製品を交換するといった手間を未然に防止することができる。
【００２９】
また、梱包装置２の一部として背面段ボール７を有するので、貯湯ユニット１を滑らせてトラックの荷台から荷降ろしする場合には、背面段ボール７を荷台に接触させることにより、荷降ろし作業時における貯湯ユニット１の打痕や破損を防止することができる。
【００３０】
なお、粘着テープ８の色を手掛け部材６の色と異なる色とすることにより、手掛け部材６に対して手を掛けるのに適した範囲を視覚的に知らせることができ、手掛け部材６に手を掛けて行う荷降ろし等の作業性を向上させることができる。
【００３１】
また、本実施の形態では、粘着テープ８による手掛け部材６の取付けを、粘着テープ８を隅部１ａの延出方向に引き伸ばして行った場合を例に挙げて説明しているが、粘着テープ８を隅部１ａの延出方向と直交する向きに複数枚貼付けることにより手掛け部材６を隅部１ａに取付けてもよい。
【００３２】
また、本実施の形態では、手掛け部材６の取付面６ａと外周面６ｂとをともにＬ字形に形成した場合を例に挙げて説明したが、手掛け部材６の外周面を円弧状に形成してもよく、その他にも適宜最適な形状としてよい。また、上下左右方向に分割したものを貼り付けてもよい。
【００３３】
上記実施形態において、粘着テープ８の粘着力は貯湯ユニット１から剥がした際に、粘着跡残りや塗装面の剥れ等が生じない程度が好ましい。また、粘着テープ８の貼り付け面積は上記の粘着力においても、貯湯ユニット１や発泡材である手掛け部材６から容易に脱落しない範囲であれば良い。
【００３４】
また、上記実施形態では、貯湯ユニット１の側面は手掛け部材６以外の部分が剥き出しとなっているが、傷付防止のために別途、透明なビニルシート等で被覆するのが好ましい。例えば、貯湯ユニット１に手掛け部材６を取付けた後に、袋状のビニルシート等を覆い被せ、その上から上部梱包部材を取付けてもよい。
【００３５】
また、荷積みする際の注意表示等は、上面段ボール５や背面段ボール７に表示するのが好ましい。特に背面段ボール７には荷積み時に下面となるよう表示するのが好ましい。また、その他表示については、貯湯ユニット１の側面に張り紙等を別途設けてもよい。
【００３６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３７】
１…貯湯ユニット（被梱包機器）、１ａ…隅部、２…梱包装置、３…木枠ケース（ベース部材）、６…手掛け部材、６ａ…取付面、７…背面板ボール、８…粘着テープ
【図１】
0006768349.tif 000002
【図２】
0006768349.tif 000003
【図３】
0006768349.tif 000004